(57)【特許請求の範囲】
【請求項１】
メッシュ、フェルトまたはその他の拡散有孔材料から作られた支持層（１１）と、
水不透過性および水蒸気透過性の膜（１３）を備え、前記支持層（１１）上に配置された蒸気透過構成材（１２）と、
前記支持層（１１）に局所的に含浸され、靴の他の構成材との接着用基材（１５）を形成する１層の高分子材料（１４）とを備え、
前記接着用基材（１５）は、少なくとも前記支持層（１１）の周辺領域に影響を及ぼし、前記高分子材料（１４）がない前記支持層（１１）の少なくとも１つの蒸気透過部分（１８）を水蒸気透過のために区画する、
ことを特徴とする水不透過性および水蒸気透過性の膜を備えた靴底用の挿入体、特に高分子材料から作られた有孔靴底用の挿入体。
【請求項２】
前記支持層（１１）を前記蒸気透過構成材（１２）に密封し、前記支持層（１１）に含浸される前記高分子材料（１４）の密接な把握力を少なくとも膜（１３）の周辺端（１７）において前記膜（１３）に与え、それらの間に含まれる領域を密封する領域（１６）をさらに備える、請求項１に記載の靴底用の挿入体。
【請求項３】
前記支持層（１１）は、金属材料、合成材料および天然繊維から選択された材料から作られた繊維で密に編んだメッシュから作られた請求項１または２に記載の靴底用の挿入体。
【請求項４】
水不透過性および水蒸気透過性の前記膜（１３）は、発泡ポリテトラフルオロエチレン（ｅ−ＰＴＦＥ）および／またはポリウレタン（ＰＵ）、またはそれと同等のものである請求項１ないし３のいずれか１つに記載の靴底用の挿入体。
【請求項５】
前記蒸気透過構成材（１２）は、補強のため前記膜（１３）に結合した、合成材料から作られたファインメッシュ（１９）を備える請求項１ないし４のいずれか１つに記載の靴底用の挿入体。
【請求項６】
前記蒸気透過構成材（１２）は、衝撃からの保護のため、前記膜（１３）の下方領域に結合する保護層（２０）を当該膜および前記支持層（１１）間に挟んで備え、前記保護層（２０）は、衝撃吸収に適したフェルトおよび拡散有孔材料から選択される材料から作られ、前記密封領域（１６）は、少なくとも前記高分子材料（１４）により含浸される前記周辺端（１７）に対応する前記保護層（２０）の部分に沿って広がり、前記支持層（１１）を前記膜（１３）に密封する請求項１ないし５のいずれか１つに記載の靴底用の挿入体。
【請求項７】
前記蒸気透過構成材（１２）は、貫通および切断に対する高い耐性を有する蒸気透過層（２１）を前記膜（１３）および前記支持層（１１）間に挿入して備え、前記密封領域（１６）は、少なくとも前記高分子材料（１４）によって含浸される前記周辺端（１７）に対応する、貫通および切断に対する高い耐性を有する前記蒸気透過層（２１）の部分に沿って広がり、前記支持層（１１）を前記膜（１３）に密封する請求項１ないし６のいずれか１つに記載の靴底用の挿入体。
【請求項８】
前記蒸気透過構成材（１２）の構成部分は、水蒸気透過性および防水性を損なわず、裁縫、点接着、熱融着、高周波電流による溶接、超音波溶接から選択される方法で互いに結合している請求項１ないし７のいずれか１つに記載の靴底用の挿入体。
【請求項９】
前記蒸気透過構成材（１２）の構成部分は、少なくとも前記周辺端（１７）に対応し、前記支持層（１１）および前記膜（１３）間に備えられた全層を通して前記高分子材料（１４）によって含浸される部分を有し、前記少なくとも周辺の密封領域（１６）を形成する請求項１ないし８のいずれか１つに記載の靴底用の挿入体。
【請求項１０】
前記膜（１３）の周辺を超えて前記接着用基材（１５）を拡張する、前記高分子材料（１４）から作られた細革（２２）を有し、少なくとも前記支持層（１１）および前記蒸気透過構成材（１２）を包み込み、少なくとも前記膜（１３）を前記支持層（１１）に密封する請求項１ないし９のいずれか１つに記載の靴底用の挿入体。
【請求項１１】
前記高分子材料（１４）は、ポリ塩化ビニル（ＰＶＣ）である請求項１ないし１０のいずれか１つに記載の靴底用の挿入体。
【請求項１２】
前記高分子材料（１４）は、熱可塑性のポリウレタン（ＴＰＵ）である請求項１ないし１０のいずれか１つに記載の靴底用の挿入体。
【請求項１３】
請求項１ないし１２のいずれか１つに記載の靴底用の前記挿入体（１０）を備えた靴底（２３，１２３，２２３）。
【請求項１４】
前記少なくとも１つの蒸気透過部分（１８）に対応する少なくとも１つの孔（２５，２２５）における水蒸気透過性および防水性のため、前記接着用基材（１５）に防水密封を設け、前記少なくとも１つの孔（２５，２２５）が設けられた、靴底用の前記挿入体（１０）用の支持フレーム（２４，１２４，２２４）を結合して備えた請求項１３に記載の靴底（２３，１２３，２２３）。
【請求項１５】
少なくとも前記少なくとも１つの蒸気透過部分（１８）において、衝撃吸収性および蒸気透過性または穿孔を有する本底（２６）を備え、前記挿入体（１０）を周辺に結合して備え、少なくとも前記膜（１３）において前記本底（２６）に防水密封を形成する請求項１３に記載の靴底（２３，１２３，２２３）。
【請求項１６】
支持フレーム（２４，１２４，２２４）を備え、上面に前記挿入体（１０）用の周辺閉じこめ端（２２６）を有し、前記周辺閉じこめ端（２２６）をまたぐように配置された前記支持フレーム（２４，１２４，２２４）に前記挿入体（１０）の前記膜（１３）を密封するため周辺ガスケット（２２７）も有する請求項１３に記載の靴底（２３，１２３，２２３）。
【請求項１７】
前記支持フレーム（２４，１２４，２２４）は、前記挿入体（１０）に結合する面と反対側にある面上に、接地面の表面（２６）を有する請求項１３ないし１６のいずれか１つに記載の靴底（２３，１２３，２２３）。
【請求項１８】
請求項１３ないし１７のいずれか１つに記載の前記挿入体（１０）を設けた前記靴底（２３，１２３，２２３）を備えた靴。
【発明の詳細な説明】
【技術分野】
【０００１】
この発明は、靴底用、特に水不透過性および水蒸気透過性の膜を備え、高分子材料から作られた有孔靴底用の挿入体、当該挿入体を備えた靴底およびそれらの製造方法に関するものである。
【背景技術】
【０００２】
スポーツ用途の靴用の高分子材料から作られた防水性および蒸気透過性の靴底が、ここ数年前から知られている。
この種の靴底は、例えば、WO2004/028284に開示されている。
WO2004/028284は、少なくとも１つのプレセットずみマクロ部分（preset macroportion）に、メッシュ、フェルトまたはその他の拡散有孔材料から作られた支持層を備えた構造を有する靴底を開示している。
【０００３】
水不透過性および水蒸気透過性の材料から作られた膜は、少なくともプレセットずみマクロ部分において支持層の上部領域を当該膜が覆って結合する。当該設けられたマクロ部分において少なくとも１つの貫通孔を有する、高分子材料から作られた接地面が、膜および支持層に少なくともマクロ部分の周辺において密封されて結合する。
孔の存在は、外部との膜の熱および蒸気の交換のための大きな部分を規定する。それゆえ、前記靴底構造は、水不透過性および水蒸気透過性の膜の蒸気透過性が利用可能である。
【０００４】
この種の靴底は、平均より発汗量が多い人の靴の内部において生成される多量の水蒸気を消散させるのに特に適している。
足の過剰な発汗は、極端に暑く湿度の高い気候の場合のほか、スポーツ活動において靴を使用する場合にも生じうる。
【０００５】
前記靴底は、別個に与えられるいくつかの層および諸要素：接地面、膜、本底その他を組み立て接着することによって提供される。
膜の下に配置され支持要素として機能するメッシュ、フェルトまたはその他の拡散有孔材料から作られたマクロ部分の力学的な抵抗力は、前記靴底の製造に特に重要である。
【０００６】
マクロ部分の周辺において、接地面を支持層上に単純に接着すれば、靴底に要求される構造強度を与えるために必要とされる密接な把握力（intimate grip）を事実上考慮する必要はない。
WO2006/010578に開示された教示によって与えられる靴底は、メッシュから作られた支持保護層上に、マクロ孔（macrohole）を有する靴底下層のオーバーモールドを設ける。
【０００７】
このように、接地面も備える下層は、メッシュを通して埋め込み密接に把握させる流体状態の高分子材料の注入による成形中にメッシュと結合する。
この成形法は、第１金型にメッシュ膜パッケージを挿入し、接地面が設けられた下層が前記パッケージ上に一体成形される。金型内に流体状態で注入された下層の材料は、メッシュの網の目を通すことにより膜に付着し、凝固させることによって水不透過性を有し、２つの要素間でもはや漏れることのない密封を作り出す。
【０００８】
このように得られた半仕上げの構成材は、第２金型に挿入され、靴底の上層が一体成形される。この場合も、上層の材料は、金型内に流体状態で注入された下層の材料が膜に付着し、凝固させることによって水不透過性を有する密封を作り出す。
【発明の概要】
【発明が解決しようとする課題】
【０００９】
膜の密封は相当な効果を有するが、この方法にはいくつかの欠点がある。
下層の流体状態の高分子材料の成形により、金型を完全に閉じることが困難なメッシュを通して、材料の漏出が事実上発生する。
膜に対してメッシュを完全に押しつけるのが可能でないため、流体状態の材料が、前記メッシュの網の目を通して事実上通り抜ける。
【００１０】
メッシュの形状は、金型を事実上密閉させず、これらの漏出が避けられない。当該漏出は靴底の美観を損ない、マクロ孔に設けられた蒸気透過部分を減少させる。
前記の方法はそれゆえ、多数の不良品を生じる。
さらに、接地面を有する膜の一体成形法は、接地面として用いられる諸材料の選択を限定する。なぜなら、例えば、注入のため流体状態にならない、加硫ゴムおよびすべての材料から作られた接地面の使用が不可能になるためである。
【００１１】
それゆえ、流体状態の水を透過せず、水蒸気を透過し、前記の欠点を未然に防止して、靴の内部から大量の水蒸気を排出しうる、靴底を提供する必要性が感じられている。
【課題を解決するための手段】
【００１２】
この発明の目標は、前記必要性を満たす靴底用の挿入体を提供することである。
前記目標内で、発明の目的は、防水性および蒸気透過性を有し、広い蒸気透過領域を有する一方で、少なくとも現在公知の靴底の構造強度に等しい構造強度を確保する、靴底用の挿入体を提供することである。
【００１３】
この発明の別の目的は、生産工程が液状化しない、ゴムおよび材料のような接地面に最も適した諸材料を、挿入体を備えた靴底に提供できるようにする挿入体を提供することである。
【００１４】
この発明の別の目的は、靴底の他の構成材への高度の接着力を有し、当該靴底を強く丈夫にする防水性および蒸気透過性の靴底用の挿入体を提供することである。
【００１５】
この発明の別の目的は、構造的に単純かつ低価格で製造しうる靴底用の挿入体を提供することである。
【００１６】
以下でより明らかになる前記目標、これらおよび別の目的は、
メッシュ、フェルトまたはその他の拡散有孔材料から作られた支持層と、
水不透過性および水蒸気透過性の膜を備え、前記支持層上に配置された蒸気透過構成材と、
前記支持層に局所的に含浸（impregnates）し、靴の他の構成材との接着用基材を形成する１層の高分子材料とを備え、
前記接着用基材は、少なくとも前記支持層の周辺領域に影響を及ぼし、前記高分子材料がない前記支持層の少なくとも１つの部分を水蒸気透過のために区画し、
前記支持層に含浸する前記高分子材料の密接な把握力を少なくとも膜の周辺端において膜に与え、それらの間に含まれる領域を密封する領域を備え、
水不透過性および水蒸気透過性の膜を備えた靴底用の挿入体、特に高分子材料から作られた有孔靴底用の挿入体によって実現される。
【００１７】
さらに、前記目標のほか、以下でより明らかになるこれらおよび別の目的もまた、メッシュ、フェルトまたはその他の拡散有孔材料から作られた支持層と、
水不透過性および水蒸気透過性の膜を備え、前記支持層上に配置された蒸気透過構成材と、
前記支持層に局所的に含浸し、靴の他の構成材との接着用基材を形成する１層の高分子材料とを備え、
前記接着用基材は、少なくとも前記支持層の周辺領域に影響を及ぼし、前記高分子材料がない前記支持層の少なくとも１つの蒸気透過部を水蒸気透過のために区画する、水不透過性および水蒸気透過性の膜を備えた靴底用の挿入体、特に高分子材料から作られた有孔靴底用の挿入体によって実現される。
【００１８】
この発明のさらに別の特徴および利点は、添付図面における非限定的な例によって図示された、この発明による靴底用の挿入体、靴底およびその製造法のいくつかの好ましいが排他的ではない実施形態の説明からいっそう明らかになる。
【図面の簡単な説明】
【００１９】
【図１】図１は、この発明の靴底用の挿入体の底面斜視図である。
【図２】図２は、この発明の靴底用の挿入体の細部の拡大断面図である。
【図３】図３は、この発明の別の実施形態に係る靴底用の挿入体の細部の拡大断面図である。
【図４ａ】図４ａは、この発明の第１実施形態に係る挿入体を備えた靴底の細部の拡大断面図である。
【図４ｂ】図４ｂは、この発明の第１実施形態に係る挿入体を備えた靴底の部分分解図である。
【図５】図５は、この発明の第２実施形態に係る挿入体を備えた靴底の細部の拡大断面図である。
【図６】図６は、この発明の第３実施形態に係る挿入体を備えた靴底の細部の拡大断面図である。
【図７】図７は、この発明による挿入体を備えた靴底の底面図である。
【００２０】
特許手続中に公知と判明したものは請求されておらず、否認の対象にならないと理解されることに留意する。
【発明を実施するための形態】
【００２１】
前述の図に関連して、符号１０は、一般に水不透過性および水蒸気透過性の膜を備えた靴底用の挿入体、特に高分子材料から作られた有孔靴底用の挿入体であって、
メッシュ、フェルトまたはその他の拡散有孔材料から作られた支持層１１と、
水不透過性および水蒸気透過性の膜１３を備え、支持層１１上に配置された蒸気透過構成材１２と、
支持層１１に局所的に含浸し、靴を構成する他の構成材との接着用基材１５を形成する１層の高分子材料１４と、
支持層１１を蒸気透過構成材１２に密封するための領域１６とを備え、
領域１６は、支持層１１に含浸する高分子材料１４の密接な把握力を少なくとも膜１３の周辺端１７において膜に与え、それらの間に含まれる領域を密封する靴底用の挿入体を示す。
【００２２】
接着用基材１５は、少なくとも支持層１１の周辺領域に影響を及ぼし、高分子材料１４がない支持層１１の少なくとも１つの蒸気透過部分１８を水蒸気透過のために区画する。
【００２３】
前記接着用基材１５は、好ましくは、マイクロインジェクション、スクリーン印刷、または高分子フィルムの支持層１１上への融解、例えば、高周波電流をフィルムに影響を及ぼすことによる加熱処理によって提供される。
【００２４】
好ましくは、支持層１１は、金属材料、合成材料および天然繊維から選択された材料から作られた繊維で密に編んだメッシュから作られる。
【００２５】
水不透過性および水蒸気透過性の膜１３は、発泡ポリテトラフルオロエチレン（ｅ−ＰＴＦＥ）および／またはポリウレタン（ＰＵ）、またはそれと同等のものである。
【００２６】
蒸気透過構成材１２はまた、補強のために膜１３に結合した、合成材料から作られたファインメッシュ（fine mesh）１９と、
当該膜および支持層１１間に、衝撃からの保護のため、膜１３の下方領域に結合する保護層２０と、
膜１３および支持層１１間に、貫通および切断に対する高い耐性を有するケブラー（Kevlar）（登録商標）製の任意の蒸気透過層２１とを有利なことに備え、
保護層２０は、都合のよいことに、衝撃吸収に適したフェルトおよび拡散有孔材料から選択される材料から作られ、
密封領域１６は、少なくとも高分子材料１４により含浸される周辺端１７において保護層２０の部分に影響を及ぼすように広がり、支持層１１を膜１３に密封する。
【００２７】
同様に、密封領域１６はまた、少なくとも高分子材料１４によって含浸される周辺端１７において貫通および切断に対する高い耐性を有する蒸気透過層２１の部分に影響を及ぼして、支持層１１を膜１３に密封する。
【００２８】
有利なことに、蒸気透過構成材１２、すなわち、膜１３および都合のよいことにファインメッシュ１９、保護槽２０、貫通および切断に対する高い耐性を有する蒸気透過層２１の構成部分は、水蒸気透過性および防水性を損なわない方法で、かつ、裁縫、接着、熱融着、高周波電流による溶接、超音波溶接から選択される方法で点または線により互いに結合している。
【００２９】
さらに、蒸気透過構成材１２を構成する前記部分は、都合のよいことに、少なくとも周辺領域に対応し、支持層１１および膜１３間に備えられた全層を通して高分子材料１４によって含浸される部分を有する。
【００３０】
これらの部分は、支持層１１および膜１３間に備えられた領域の少なくとも周辺を密封する密封領域１６を規定する。
【００３１】
靴底用の挿入体１０の特定の実施形態において、少なくとも周辺領域に対応する前記部分に、支持層１１および膜１３間に備えられた蒸気透過構成材１２の構成材の、高分子材料による含浸を促進するように構成された孔がある。
【００３２】
図３の非限定的な例によって図示された別の実施形態において、挿入体１０は、膜１３の周辺を超えて接着用基材１５を拡張する、高分子材料１４から作られた細革２２を有し、少なくとも支持層１１および蒸気透過構成材１２を包み込み、少なくとも膜１３に支持層１１を密封する。
【００３３】
都合のよいことに、前記高分子材料１４は、ポリ塩化ビニル、ＰＶＣ、熱可塑性ゴム、ＴＲ、または代替および同等の方法において、熱可塑性のポリウレタン、ＴＰＵである。
【００３４】
非限定的な例によって図示された図４ａおよび４ｂにおいて、この発明による靴底２３の第１実施形態は、この発明に係る挿入体１０を備え、好ましくは、挿入体１０と結合する挿入体１０用の支持フレーム２４を備え、接着用基材１５によって防水密封する特異性を有する。
【００３５】
支持フレーム２４は、都合のよいことに、水蒸気透過性および防水性のため、蒸気透過部分１８に対応する少なくとも１つの孔を設けている。
【００３６】
都合のよいことに、靴底２３は複数の孔２５を有する。
支持フレーム２４は、好ましくは、例えば、加硫ゴム、熱可塑性のポリウレタン（ＴＰＵ）または熱可塑性ゴム（ＴＲ）のような高分子材料から作られている。
【００３７】
都合のよいことに、孔２５は少なくとも１ｃｍ2の表面を有する。図７を参照して、支持フレーム２４は、都合のよいことに、挿入体１０に結合した面の反対側にある面上に、接地面の表面２６を有する。
【００３８】
さらに、支持フレーム２４は、都合のよいことに、靴底の前部領域およびかかと領域にそれぞれ配置される前部孔２５ａおよび後部孔２５ｂを区画する。
【００３９】
特に、この実施形態において、支持フレーム２４は、孔２５を区画する周辺縁２７と、周辺縁２７と一体となって孔２５を覆う構造格子２８とを備え、それらを複数の窓２９に分割する。窓の表面は、都合のよいことに、少なくとも５ｍｍ2である
【００４０】
構造格子２８は、好ましくはそこから突出したスタッド３０を有し、地面との接触に適している。
【００４１】
図５の非限定的な例によって示された第２実施形態において、この発明による靴底１２３は、有利なことに、エチレン酢酸ビニル、ＥＶＡから作られた本底１２６が上に重ね合わされた支持フレーム１２４を含む。前記本底は、衝撃吸収性および蒸気透過性があり、少なくとも挿入体１０の蒸気透過部分１８において孔が開いている。
【００４２】
都合のよいことに、蒸気透過構成材１２は、周辺で密封され、少なくとも膜１３の周辺で本底１２６に透過しないように密封される。
【００４３】
図６の非限定的な例によって図示された第３実施形態において、好ましくは、靴底２２３は、孔２２５による影響を受ける部分の周辺にある支持フレーム２２４を備える。
【００４４】
都合のよいことに、支持フレーム２２４は、上面に挿入体１０用の周辺閉じこめ端２２６を有し、閉じこめ端２２６および挿入体１０の整合した端部をまたぐように配置された前記支持フレーム２２４に挿入体１０を密封するため不透水性材料から作られた周辺ガスケット２２７もある。
【００４５】
都合のよいことに、挿入体１０の膜１３の支持フレーム２２４への密封は、閉じこめエッジ２２６をまたぐような周辺ガスケット２２７の接着または一体成形によって得られる。
【００４６】
この発明は、意図された目標および諸目的を達成し、防水性および同時に高い蒸気透過性能を有する靴底用の挿入体を提供する、ということが、実際に明らかになった。
【００４７】
この発明による挿入体を有する靴底は、実際、防水性および蒸気透過性があり、大きくて広い孔を有することにより大きな蒸気透過領域が設けられる一方で、高分子材料から作られた接着用基材により靴底の他の構成材に容易かつ効果的に接着する、ナイロンまたは金属メッシュから作られた支持層によって確保されたかなりの構造強度を有する。
【００４８】
高分子材料から作られた接着用基材を設けた挿入体は、種々の諸材料から作られた靴底内における使用で高い柔軟性をさらに確保し、接地面用のゴムのような諸材料の使用を可能にする。
【００４９】
さらに、メッシュから作られた支持要素を直接靴底の残りの部分と一体成形することが不可能なすべての場合において、この発明によって別個に提供される靴底用の挿入体を利用する点において有利である。
【００５０】
この発明による靴底用の挿入体は、実際にはメッシュから作られた支持要素上に直接、接着用基材を有する。例えば、高周波による高分子フィルムの融解、高分子材料層のマイクロインジェクションまたはスクリーン印刷のような種々の方法で容易かつ正確に提供され、靴底全体の同時処理を回避する。
【００５１】
このようにして、大孔を有する接地面を備えた靴用の靴底のような３次元の複雑な物体の成型に典型的な、技術的および美的な制限が克服される。
【００５２】
接地面および靴底の残りの部分は、実際には接着用基材に接着され、防水性および蒸気透過性膜に密封され、水不透過性および水蒸気透過性の靴底を得る。
【００５３】
以上のように着想された発明は、そのすべてが特許請求の範囲内にある多数の修正および変形を行う余地がある。すべての細部は、技術的に等価な他の諸要素にさらに置き換えてもよい。
【００５４】
実際には、使用される諸材料は、特定の用途に適合する限り、条件付きの形状および寸法と同様に、諸要件および最新技術に従う任意のものであってもよい。
【００５５】
この出願が優先権を主張するイタリア特許出願第ＰＤ２００８Ａ０００１９６号における開示は、参照によってこの明細書に組み込まれる。
【００５６】
特許請求の範囲に言及されている技術的特徴の後に参照符号が続く場合、これらの参照符号は、特許請求の範囲の理解度を増す目的のみに挙げられる。したがって、このような参照符号は、このような参照符号による例によって特定される各要素の解釈に対するいかなる限定的な影響も有しない。
【図１】
0005470378.tif 000002
【図２】
0005470378.tif 000003
【図３】
0005470378.tif 000004
【図４ａ】
0005470378.tif 000005
【図４ｂ】
0005470378.tif 000006
【図５】
0005470378.tif 000007
【図６】
0005470378.tif 000008
【図７】
0005470378.tif 000009